(57)【特許請求の範囲】
【請求項１】
ダウンロードする出力制御パラメータファイル名を選択するファイル選択スイッチと、この選択された出力制御パラメータファイル名及び予め定められたドメインネームからファイル指定アドレスを生成するアドレス生成手段と、ダウンロードを開始させるためのダウンロード開始スイッチと、前記ダウンロード開始スイッチが開始側に切り換えられると、前記ファイル指定アドレスによって指定されたインターネット上のＷＷＷサーバにアクセスして前記ファイル指定アドレスによって指定された出力制御パラメータファイルをダウンロードするインターネット接続インターフェース手段と、このダウンロードされた出力制御パラメータファイルを溶接電源装置の出力制御に使用するために予め定められたフォーマットの出力制御パラメータデータ列に変換するフォーマット変換手段と、溶接条件番号を選択する溶接条件選択スイッチと、前記出力制御パラメータデータ列を前記選択された溶接条件番号に対応した記憶領域に保存するための記憶手段とを備え、前記溶接条件選択スイッチによって選択された溶接条件番号に対応する前記出力制御パラメータデータ列に従って出力制御を行って溶接する出力制御パラメータ・ダウンロード機能付溶接電源装置。
【請求項２】
ダウンロードされた出力制御パラメータファイルが予め定められたファイルフォーマットに適合するかを判別して適合しないときには溶接の開始を禁止するフォーマット判別手段を備えた請求項１記載の出力制御パラメータ・ダウンロード機能付溶接電源装置。
【請求項３】
インターネット接続インターフェース手段が、ダウンロード開始スイッチが開始側に切り換えられると、ファイル指定アドレスによって指定されたインターネット上のＷＷＷサーバにアクセスして前記ファイル指定アドレスによって指定された出力制御パラメータファイルを予め定めた時間間隔ごとに繰り返してダウンロードするインターネット接続インターフェース手段である請求項１記載の出力制御パラメータ・ダウンロード機能付溶接電源装置。
【発明の詳細な説明】
【０００１】
【発明の属する技術分野】
本発明は、種々の溶接条件に対応した溶接電源装置の出力制御パラメータをインターネットを介してダウンロードする機能を有する溶接電源装置に関する。
【０００２】
【従来の技術】
最近の溶接電源装置は、良好な溶接品質を得るために、炭酸ガスアーク溶接、パルスアーク溶接等の溶接法、被溶接物の材質、溶接ワイヤの直径等の溶接条件に応じて、溶接電源装置の出力制御を適正化するための多数の出力制御パラメータを内部に記憶している。この出力制御パラメータとしては、外部から入力された電流設定値Ｉｓに対応する適正な出力電圧値（以下、一元電圧設定値Ｖｓという）、出力電流波形及び出力電圧波形の波形形状パラメータ、アークスタート時の出力電流値及び出力電圧値、アークエンド時の出力電流値及び出力電圧値等の多数のパラメータがある。したがって、一般的に、溶接電源装置は、数種類〜十数種類の標準的な溶接条件を選定して、それらの溶接条件ごとに適正な出力制御パラメータを算出して内蔵している。そして、溶接作業者は、溶接を開始する前に溶接条件を確認し、その溶接条件に対応した溶接条件番号を溶接電源装置のパネルに設けられた溶接条件選択スイッチＮＳによって選択することによって、最適な出力制御パラメータに従った出力制御が行われて良好な溶接をすることができる。
【０００３】
例えば、溶接法がパルスアーク溶接法であり、被溶接物の材質が軟鋼であり、溶接ワイヤの直径が１．２［mm］であるときの溶接条件番号を０１とし、溶接法がパルスアーク溶接法であり、被溶接物の材質が軟鋼であり、溶接ワイヤの直径が１．６［mm］であるときの溶接条件番号を０２とし、溶接法がパルスアーク溶接法であり、被溶接物の材質がステンレス鋼であり、溶接ワイヤの直径が１．２［mm］であるときの溶接条件番号を０３とし、溶接法がパルスアーク溶接法であり、被溶接物の材質がステンレス鋼であり、溶接ワイヤの直径が１．６［mm］であるときの溶接条件番号を０４とする。溶接作業者は、パルスアーク溶接法で軟鋼を直径１．２［mm］の溶接ワイヤを使用して溶接するときには、溶接条件番号０１を選択し、パルスアーク溶接法でステンレス鋼を直径１．６［mm］の溶接ワイヤを使用して溶接するときには、溶接条件番号０４を選択する。そして、溶接電源装置は、選択された溶接条件番号に対応した出力制御パラメータに従って出力制御を行って溶接する。以下、この出力制御パラメータの変更方法に関する従来技術１及び従来技術２について説明する。なお、以下の説明においては、溶接法として、パルスアーク溶接法の場合を例示する。
【０００４】
［従来技術１］
図１は、パルスアーク溶接用の溶接電源装置における出力制御パラメータを説明するための電流・電圧波形図である。同図（Ａ）は出力電流Ｉｗの時間変化を示し、同図（Ｂ）は出力電圧Ｖｗの時間変化を示す。以下、同図を参照して説明する。
【０００５】
同図（Ａ）に示すように、予め定めたピーク期間Ｔｐの間は、予め定めたピーク電流Ｉｐが通電し、後述する制御によって定まるベース期間Ｔｂの間は、予め定めたベース電流Ｉｂが通電する。また、同図（Ｂ）に示すように、出力電圧Ｖｗは、上記の通電に応じて、ピーク期間Ｔｐの間はピーク電圧Ｖｐとなり、ベース期間Ｔｂの間はベース電圧Ｖｂとなる。出力電圧Ｖｗの平均値が、予め定めた電圧設定値Ｖｓと等しくなるように、上記のベース期間Ｔｂの時間長さがフィードバック制御される。
【０００６】
上記のピーク電流Ｉｐ［Ａ］、ベース電流Ｉｂ［Ａ］及びピーク期間Ｔｐ［ms］の各パラメータは、パルスアーク溶接において良好な溶接品質を得るための必須羽条件である１パルス１溶滴移行を実現するために、前述した溶接条件に応じて適正値に設定する必要がある。また、溶接電源装置の外部から電流設定値Ｉｓ［Ａ］が入力されたときに、それに対応した適正な一元電圧設定値Ｖｓを生成する必要がある。このために、電流設定値Ｉｓと一元電圧設定値Ｖｓとの関係を、Ｖｓ＝ａ・Ｉｓ＋ｂ（ａ及びｂは定数）の直線式として定義し、その関係式によって一元電圧設定値Ｖｓを算出する方法がある。この場合において、一元定数ａ及びｂは、前述した溶接条件に対応して適正値に設定する必要がある。したがって、前述した１つの溶接条件番号に対応して、一元定数ａ、一元定数ｂ、ピーク電流Ｉｐ、ベース電流Ｉｂ及びピーク期間Ｔｐを一組のデータ列とする出力制御パラメータデータ列が予め設定される必要がある。前述したように、溶接条件番号は複数あるので、上記の出力制御パラメータデータ列も複数組記憶されている。出力制御パラメータとしては、例示した上記の５つのパラメータ以外にも、前述したように、アークスタート時の電流設定値及び電圧設定値、アークエンド時の電流設定値及び電圧設定値等多数あるが、説明を簡潔にするために以下の説明では上記の５つのパラメータ（ａ，ｂ，Ｉｐ，Ｉｂ，Ｔｐ）を使用して説明する。
【０００７】
図２は、複数組の出力制御パラメータが記憶されている従来技術１の溶接電源装置ＰＳのブロック図である。以下、同図を参照して、各回路ブロックについて説明する。
読み取り専用記憶素子ＲＯＭには、図３に示すメモリ構成によって出力制御パラメータが記憶されている。図３に示すように、１つのデータ列は、溶接条件番号Ｎｓ、一元定数ａ、一元定数ｂ、ピーク電流Ｉｐ、ベース電流Ｉｂ及びピーク期間Ｔｐから成る。図３は、このデータ列が５つの場合を例示する。溶接条件番号Ｎｓ＝０１のときのデータ列は（０１，ａ1，ｂ１，Ｉp1，Ｉb1，Ｔp1）となり、溶接条件番号Ｎｓ＝０５のときのデータ列は（０５，ａ５，ｂ５，Ｉp5，Ib5，Ｔp5）となる。読み取り専用記憶素子ＲＯＭは、溶接電源装置の製造時にデータが書き込まれて、プリント基板上のＩＣソケットに挿入される。
【０００８】
溶接条件選択スイッチＮＳは、選択された溶接条件番号に対応した溶接条件番号信号Ｎｓを出力する。一般的に、この溶接条件選択スイッチＮＳは溶接電源装置のパネルに設けられる。溶接電源装置の外部に設けられた電流設定回路ＩＳは、電流設定信号Ｉｓを出力する。ワイヤ送給制御回路ＷＣは、溶接ワイヤ１を上記の電流設定信号Ｉｓに対応した送給速度で送給するための送給制御信号Ｗｃを出力する。ワイヤ送給モータＷＭは、上記の送給制御信号Ｗｃに従って送給ロール５ａを回転させて溶接ワイヤ１を所定の送給速度で送給する。
【０００９】
入出力回路ＩＯは、上記の読み取り専用記憶素子ＲＯＭから、上記の溶接条件番号信号Ｎｓによって指定された出力制御パラメータデータ列（Ｎｓ，ａ，ｂ，Ｉｐ，Ｉｂ，Ｔｐ）を読み取り、ピーク電流設定信号Ｉｐ、ベース電流設定信号Ｉｂ及びピーク期間設定信号Ｔｐを出力する。さらに、この入出力回路ＩＯは、上記の電流設定信号Ｉｓを入力として、Ｖｓ＝ａ・Ｉｓ＋ｂの演算を行い一元電圧設定信号Ｖｓを出力する。
【００１０】
外部に設けられた溶接開始回路ＳＴは、溶接開始信号Ｓｔを出力する。出力制御開始回路ＯＮは、上記の溶接開始信号Ｓｔが入力されると、出力制御開始信号Ｏｎを出力する。出力制御回路ＩＮＶは、交流商用電源（３相２００Ｖ等）を入力として、上記の一元電圧設定信号Ｖｓ、ピーク電流設定信号Ｉｐ，ベース電流設定信号Ｉｂ及びピーク期間設定信号Ｔｐを出力制御パラメータとしてインバータ制御等による出力制御を行い、アーク負荷に適した出力電流Ｉｗを通電し、出力電圧Ｖｗを印加する。この出力制御は、上記の出力制御開始信号Ｏｎが出力されている間だけ行われる。そして、溶接ワイヤ１はワイヤ送給装置の送給ロール５ａによって溶接トーチ４を通って送給されて、被溶接物２との間にアーク３が発生して溶接が行われる。
【００１１】
［従来技術２］
図４は、出力制御パラメータを外部から変更することができる溶接電源装置ＰＳのブロック図である。同図において、前述した図２と同一の回路ブロックには同一符号を付し、それらの説明は省略する。以下、図２とは異なる点線で示す回路ブロックである記憶素子ＭＥＭ及び通信インターフェース回路ＲＳについて説明する。
【００１２】
記憶素子ＭＥＭは、書き込み及び読み取りが可能なＲＡＭ、フラッシュメモリ等の記憶素子であり、前述した図３と同様のメモリ構成を有する。通信インターフェース回路ＲＳは、パーソナルコンピュータＰＣとの間でＲＳ−２３２Ｃ等のプロトコルによって通信を行う。
【００１３】
上述した従来技術２の溶接電源装置では、予め記憶されている図３に示す標準溶接条件の出力制御パラメータデータ列に、パーソナルコンピュータＰＣ内に保存されている新しい出力制御パラメータデータ列を追加記することができる。すなわち、標準溶接条件ではない溶接条件に対応した新しい出力制御パラメータデータ列を実験的に算出して、予めパーソナルコンピュータＰＣに保存しておく。そして、パーソナルコンピュータＰＣと上記の通信インターフェース回路ＲＳとを通信ケーブルで接続し、パーソナルコンピュータＰＣに保存されている上記の新しい出力制御パラメータデータ列を送信して記憶素子ＭＥＭに追加記憶させる。
【００１４】
【発明が解決しようとする課題】
上述した従来の溶接電源装置には、標準溶接条件に対応した出力制御パラメータデータ列が記憶されている。したがって、標準溶接条件ではない溶接条件で溶接を行うと、出力制御パラメータが適正値ではないために、良好な溶接品質を得ることができない。例えば、被溶接物がチタン合金又は銅合金である場合、溶接ワイヤの直径が０．８［mm］又は２［mm］である場合、シールド用マグガスの混合比率が標準値の８０％Ａｒ（アルゴンガス）＋２０％ＣＯ2（炭酸ガス）以外の比率である場合等の溶接条件は標準溶接条件ではないために、それらの溶接条件に対応した出力制御パラメータデータ列は記憶されていない。このような場合には、溶接施工会社（以下、ユーザという）は、溶接電源装置の製造会社（以下、メーカという）に対して、上記の標準ではない溶接条件に対応した出力制御パラメータデータ列の追加を特別に依頼する。依頼されたメーカは、ユーザの特定用途の溶接条件に対応した出力制御パラメータデータ列を通常は実験によって算出する。
【００１５】
ここで、ユーザが従来技術１の溶接電源装置を使用している場合には、メーカは、上記の算出された出力制御パラメータデータ列を追加して書き込んだ読み取り専用記憶素子ＲＯＭを製作する。そして、メーカのサービスエンジニアがその読み取り専用記憶素子ＲＯＭを現場まで持参し、溶接電源装置に内蔵された標準の読み取り専用記憶素子ＲＯＭと交換する作業を行う。
【００１６】
しかし、上述した手順では、特定用途の読み取り専用記憶素子ＲＯＭを製作して持参するまでに多くの日数及び手間がかかっていた。さらに、溶接現場においては溶接電源装置は狭い場所、高い場所等に設置されていることが多いために、多数のピンを有する読み取り専用記憶素子ＲＯＭをＩＣソケットに正確に挿入することは困難な作業となる。このために、ＩＣソケットへの挿入が不十分な状態となり、溶接電源装置の出力制御が異常な状態となるケースも発生していた。
【００１７】
一方、前述したように、ユーザが従来技術２の溶接電源装置を使用している場合には、パーソナルコンピュータに保存された特定用途の出力制御パラメータデータ列を追加することができる。このために、メーカは、特定用途の溶接条件に対応した出力制御パラメータデータ列を実験によって算出し、そのデータ列をパーソナルコンピュータに保存するために電子化した出力制御パラメータファイルを作成する。そして、メーカは、この出力制御パラメータファイルを電子メール等によって上述したサービスエンジニアの所有するパーソナルコンピュータに送信する。サービスエンジニアは、パーソナルコンピュータとユーザの所有する溶接電源装置とを通信ケーブルで接続し、上記の出力制御パラメータファイルに記載された特定用途の出力制御パラメータデータ列を記憶素子ＭＥＭに追加記憶させる。
【００１８】
上述した手順では、従来技術１の溶接電源装置のときのように読み取り専用記憶素子ＲＯＭの交換が不必要となり、読み取り専用記憶素子ＲＯＭの送付及び交換の手間が省ける。しかし、上述した手順では、サービスエンジニアがパーソナルコンピュータを現場まで持参し、パーソナルコンピュータと溶接電源装置とを通通ケーブルで接続し、出力制御パラメータファイルを送信する作業を行う必要がある。このために、やはり、サービスエンジニアは現場に出向く必要があり、手間がかかっていた。さらに、狭い場所、高い場所等に設置されることが多い溶接電源装置とパーソナルコンピュータとを接続し、パーソナルコンピュータを操作することは、困難な作業であった。
【００１９】
そこで、本発明では、標準ではない特定用途の溶接条件に対応する出力制御パラメータデータ列の追加作業を、特別な知識も必要なく容易に短時間で行うことができる溶接電源装置を提供する。
【００２０】
【課題を解決するための手段】
請求項１の発明は、ダウンロードする出力制御パラメータファイル名を選択するファイル選択スイッチと、この選択された出力制御パラメータファイル名及び予め定められたドメインネームからファイル指定アドレスを生成するアドレス生成手段と、ダウンロードを開始させるためのダウンロード開始スイッチと、前記ダウンロード開始スイッチが開始側に切り換えられると、前記ファイル指定アドレスによって指定されたインターネット上のＷＷＷサーバにアクセスして前記ファイル指定アドレスによって指定された出力制御パラメータファイルをダウンロードするインターネット接続インターフェース手段と、このダウンロードされた出力制御パラメータファイルを溶接電源装置の出力制御に使用するために予め定められたフォーマットの出力制御パラメータデータ列に変換するフォーマット変換手段と、溶接条件番号を選択する溶接条件選択スイッチと、前記出力制御パラメータデータ列を前記選択された溶接条件番号に対応した記憶領域に保存するための記憶手段とを備え、前記溶接条件選択スイッチによって選択された溶接条件番号に対応する前記出力制御パラメータデータ列に従って出力制御を行って溶接する出力制御パラメータ・ダウンロード機能付溶接電源装置である。
【００２２】
請求項２の発明は、ダウンロードされた出力制御パラメータファイルが予め定められたファイルフォーマットに適合するかを判別して適合しないときには溶接の開始を禁止するフォーマット判別手段を備えた請求項１記載の出力制御パラメータ・ダウンロード機能付溶接電源装置である。
【００２３】
請求項３の発明は、インターネット接続インターフェース手段が、ダウンロード開始スイッチが開始側に切り換えられると、ファイル指定アドレスによって指定されたインターネット上のＷＷＷサーバにアクセスして前記ファイル指定アドレスによって指定された出力制御パラメータファイルを予め定めた時間間隔ごとに繰り返してダウンロードするインターネット接続インターフェース手段である請求項１記載の出力制御パラメータ・ダウンロード機能付溶接電源装置である。
【００２４】
【発明の実施の形態】
以下に、本発明の実施の形態として実施例１〜４について、図面を参照して説明する。
［実施例１］
以下に説明する実施例１の発明は、本発明の参考となる実施例である。以下、実施例１の発明について図面を参照して説明する。
図５は、実施例１の出力制御パラメータ・ダウンロード機能付溶接電源装置システムの全体構成図である。同図において、本発明の出力制御パラメータ・ダウンロード機能付溶接電源装置ＤＰＳ１、ＤＰＳ２…ＤＰＳｎ及びＷＷＷサーバＳＶが、インターネットに接続されている。上記の溶接電源装置ＤＰＳのインターネットへの接続方法については、図７で後述する。また、上記のＷＷＷサーバＳＶのドメインネ―ムは、「ａａａ．ｃｏ．ｊｐ」（仮称）である。
【００２５】
前述したように、ユーザは標準溶接条件ではない特定用途の溶接条件で良好な溶接を行うために、その特定用途の溶接条件に対応した出力制御パラメータデータ列をメーカに依頼する。依頼されたメーカは、この特定用途の溶接条件に対応した出力制御パラメータデータ列を実験によって算出する。ここまでの手順は、従来と同様である。
【００２６】
次に、メーカは、上記の算出された出力制御パラメータデータ列を記載した予め定められたファイルフォーマットの出力制御パラメータファイルを作成する。この出力制御パラメータファイルの一例を図６に示す。同図は、特定用途の溶接条件が、「直径１．２［mm］の溶接ワイヤを使用したチタン合金のパルスアーク溶接」である場合を例示する。この出力制御パラメータファイルのファイル形式は、通常はＨＴＭＬ形式で作成される。したがって、ファイル名は「１１１．ｈｔｍ」となる。「１１１」は上記の特定用途の溶接条件に対応して付される任意の番号である。
【００２７】
この出力制御パラメータファイル１１１．ｈｔｍの１行目には、「ファイルフォーマット」が記載されている。これは、溶接電源装置の機種によって出力制御パラメータデータ列のフォーマットが異なるために、これを区別するためである。同図では、予め定められた「ＣＰＤＰ」というファイルフォーマットに従って、出力制御パラメータデータ列が記載されていることを示す。出力制御パラメータファイル１１１．ｈｔｍの２行目には、「データ列」として、上述した特定用途の溶接条件に対応して算出された出力制御パラメータデータ列が記載されている。同図では、溶接条件番号０６、第１の一元定数ａ６、第２の一元定数ｂ６、ピーク電流Ｉp6、ベース電流Ｉb6及びピーク期間Ｔp6の各設定値が記載されている。さらに、出力制御パラメータファイル１１１．ｈｔｍの３行目には、「用途」として、このファイルが対応する特定用途の溶接条件が記載されている。
【００２８】
上述したように、特定用途の出力制御パラメータファイル１１１．ｈｔｍは作成される。この作成された出力制御パラメータファイル１１１．ｈｔｍを、図５で前述したＷＷＷサーバＳＶ上の所定のアドレスにアップロードする。ここでは、この出力制御パラメータファイル１１１．ｈｔｍがアップロードされる所定のアドレスが、前述したドメインネームによって「ｈｔｔｐ：／／ｗｗｗ．ａａａ．ｃｏ．ｊｐ／ｏｐｐ／」であるとする。したがって、上記の出力制御パラメータファイル１１１．ｈｔｍをダウンロードするためのファイル指定アドレスＡdrは、「ｈｔｔｐ；／／ｗｗｗ．ａａａ．ｃｏ．ｊｐ／ｏｐｐ／１１１．ｈｔｍ」となる。
【００２９】
そして、図５に示す出力制御パラメータ・ダウンロード機能付溶接電源装置ＤＰＳにおいて、図７で後述する方法によって上記の出力制御パラメータファイル１１１．ｈｔｍをＷＷＷサーバＳＶからインターネットを介してダウンロードする。以下、このダウンロード方法について説明する。
【００３０】
図７は、実施例１の出力制御パラメータ・ダウンロード機能付溶接電源装置ＤＰＳのブロック図である。同図において、前述した図４と同一の回路ブロックには同一符号を付し、それらの説明は省略する。以下、図４とは異なる点線で示す回路ブロックであるファイル選択スイッチＦＳ、アドレス生成回路ＭＡ、インターネット接続インターフェース回路ＩＩＦ、ダウンロード開始スイッチＤＳ及びフォーマット変換回路ＦＣについて同図を参照して説明する。
【００３１】
ファイル選択スイッチＦＳによってダウンロードする出力制御パラメータファイルの名称（ファイル番号）を選択する。ファイル選択スイッチＦＳからはファイル選択信号Ｆｓが出力される。前述した例では、このファイル選択スイッチＦＳによって、「１１１」を選択する。その結果、ファイル選択信号Ｆｓの値は「１１１」となる。一般的に、このファイル選択スイッチＦＳは、溶接電源装置のパネルに設けられる。
【００３２】
アドレス生成回路ＭＡは、上記のファイル選択信号Ｆｓ及び予め定められたＷＷＷサーバＳＶ上のファイル格納アドレスによって、ファイル指定アドレス信号Ａdrを出力する。前述した例では、ファイル格納アドレスは「ｈｔｔｐ：／／ｗｗｗ．ａａａ．ｃｏ．ｊｐ／ｏｐｐ／」となり、ファイル選択信号Ｆｓが「１１１」であるので、ファイル指定アドレス信号Ａdrは「ｈｔｔｐ：／／ｗｗｗ．ａａａ．ｃｏ．ｊｐ／ｏｐｐ／１１１．ｈｔｍ」となる。
【００３３】
インターネット接続インターフェース回路ＩＩＦによってインターネットに接続する。この接続形態は有線又は無線を問わずどちらでも良い。無線で接続する場合には、携帯電話、ＰＨＳ等の機能を有するＰＣカードをこのインターネット接続インターフェース回路ＩＩＦとして使用することもできる。ダウンロード開始スイッチＤＳが開始側に切り換えられると、インターネット接続インターフェース回路ＩＩＦは、上記のファイル指定アドレス信号Ａdrによって指定されたインターネット上のＷＷＷサーバＳＶにアクセスし、上記のファイル指定アドレス信号Ａdrによって指定された出力制御パラメータファイルＦopをダウンロードする。一般的に、上記のダウンロード開始スイッチＤＳは、溶接電源装置のパネルに設けられる。
【００３４】
フォーマット変換回路ＦＣは、上記のダウンロードされた出力制御パラメータファイルＦopを溶接電源装置の出力制御に使用するために予め定められたフォーマットの出力制御パラメータデータ列Ｄopに変換し、記憶素子ＭＥＭの所定の記憶領域に保存する。前述した例では、出力制御パラメータファイルＦop＝１１１．ｈｔｍがダウンロードされ、前述した図６に示すファイルの２行目に記載されたデータ列（０６，ａ６，ｂ６，Ｉp6，Ｉb6，Ｔp6）のフォーマットに変換され、図３に示す記憶素子の記憶領域０６に追加される。
【００３５】
そして、特定用途の溶接条件で溶接を行う場合には、前述した溶接条件選択スイッチＮＳを「０６」にすることによって、最適な出力制御パラメータデータ列が設定されて、良好な溶接を行うことができる。
【００３６】
この出力制御パラメータ・ダウンロード機能付溶接電源装置ＤＰＳにおいては、ユーザが依頼した特定用途の溶接条件に対応した出力制御パラメータファイルＦopのファイル名（ファイル番号）を電話等で通知を浮け、そのファイル名を溶接電源装置のパネルに設けられた上記のファイル選択スイッチＦＳによって選択し、溶接電源装置のパネルに設けられた上記のダウンロード開始スイッチＤＳを開始側に切り換えるだけで、上記の出力制御パラメータファイルＦopがダウンロードされる。したがって、ダウンロード作業は非常に簡単であるので、従来のようにメーカのサービスエンジニアが現場まで出向く必要はなく、時間も短縮され効率的である。
【００３７】
［実施例２］
実施例２の発明は、前述した実施例１の発明において、ダウンロードされフォーマット変換された出力制御パラメータデータ列Ｄopを、選択した溶接条件番号Ｎｓに対応した記憶素子ＭＥＭの記憶領域に保存し、溶接条件選択スイッチＮＳによって選択された溶接条件番号Ｎｓに対応する出力制御パラメータデータ列Ｄopに従って出力制御を行って溶接する出力制御パラメータ・ダウンロード機能付溶接電源装置ＤＰＳである。以下、実施例２の発明について図面を参照して説明する。
【００３８】
図８は、実施例２の出力制御パラメータ・ダウンロード機能付溶接電源装置ＤＰＳのブロック図である。同図において、前述した図７と同一の回路ブロックには同一符号を付し、それらの説明は省略する。以下、図７とは異なる点線で示す回路ブロックであるフォーマット変換・選択記憶領域保存回路ＦＣＮについて同図を参照して説明する。
【００３９】
フォーマット変換・選択記憶領域保存回路ＦＣＮは、ダウンロードされた出力制御パラメータファイルＦopを溶接電源装置の出力制御に使用するために予め定められたフォーマットの出力制御パラメータデータ列Ｄopに変換し、溶接条件選択スイッチＮＳによって選択された溶接条件番号信号Ｎｓに対応する記憶素子ＭＥＭの所定の記憶領域に保存する。前述した例では、出力制御パラメータファイルＦop＝１１１．ｈｔｍがダウンロードされ、前述した図６に示すファイルの２行目に記載されるデータ列（０６，ａ６，ｂ６，Ｉp6，Ｉb6，Ｔp6）のフォーマットに変換される。そして、上記の溶接条件番号信号Ｎｓ＝７が選択されている場合には、この出力制御パラメータデータ列Ｄopは、前述した図３に示す記憶素子の記憶領域０７に追加される。
【００４０】
上述したように、実施例２の発明では、ダウンロードされフォーマット変換された出力制御パラメータデータ列Ｄopを、所望の溶接条件番号Ｎｓに対応する記憶素子ＭＥＭの記憶領域に保存することができる。したがって、ダウンロードされた複数の出力制御パラメータデータ列Ｄopを保存することができるので、多くの特定用途の溶接条件下において良好な溶接を行うことができる。
【００４１】
［実施例３］
実施例３の発明は、前述した実施例１の発明において、ダウンロードされた出力制御パラメータファイルＦopが予め定められたファイルフォーマットに適合するかを判別し、適合しないときには溶接の開始を禁止する出力制御パラメータ・ダウンロード機能付溶接電源装置ＤＰＳである。以下、実施例３の発明について図面を参照して説明する。
【００４２】
図９は、実施例３の出力制御パラメータ・ダウンロード機能付溶接電源装置ＤＰＳのブロック図である。同図において、前述した図７と同一の回路ブロックには同一符号を付し、それらの説明は省略する。以下、図７とは異なる点線で示す回路ブロックであるフォーマット判別回路ＣＨ及び出力制御開始・禁止回路ＯＮＦについて同図を参照して説明する。
【００４３】
フォーマット判別回路ＣＨは、ダウンロードされた出力制御パラメータファイルＦopが予め定められたファイルフォーマットに適合するかを判別して、適合しないときにはＨｉｇｈレベルとなるフォーマット判別信号Ｃｈを出力する。前述した例では、図６に示すように、ダウンロードされた出力制御パラメータファイルＦop＝１１１．ｈｔｍの１行目に記載されたファイルフォーマット「ＣＰＤＰ」が、上記のフォーマット判別回路ＣＨに予め定められた適合ファイルフォーマットに該当するかを判別する。
【００４４】
出力制御開始・禁止回路ＯＮＦは、外部からの溶接開始信号Ｓｔが入力されており、かつ、上記のフォーマット判別信号ＣｈがＬｏｗレベル（適合）のときに、出力制御開始信号Ｏｎを出力する。したがって、上記のフォーマット判別信号ＣｈがＨｉｇｈレベル（不適合）のときには、上記の出力制御開始信号Ｏｎは出力されず、溶接の開始が禁止される。
【００４５】
上述したように、実施例３の発明では、ダウンロードされた出力制御パラメータファイルＦopが溶接電源装置の機種ごとに予め定められたファイルフォーマットに適合しない場合には、図示しないが警報を表示すると共に溶接の開始を禁止することができるので、適合しない出力制御パラメータデータ列Ｄopに従って異常な出力制御が行われて溶接電源装置の故障、溶接品質の不良等が発生することを未然に防止することができる。
【００４６】
［実施例４］
実施例４の発明は、前述した実施例１の発明において、ダウンロード開始スイッチＤＳが開始側に切り換えられると、ファイル指定アドレスＡdrによって指定されたインターネット上のＷＷＷサーバＳＶにアクセスし、上記のファイル指定アドレスＡdrによって指定された出力制御パラメータファイルＦopを予め定められた時間間隔Ｔｓごとに繰り返してダウンロードする出力制御パラメータ・ダウンロード機能付溶接電源装置ＤＰＳである。以下、実施例４の発明について図面を参照して説明する。
【００４７】
図１０は、実施例４の出力制御パラメータ・ダウンロード機能付溶接電源装置ＤＰＳのブロック図である。同図において、前述した図７と同一の回路ブロックには同一符号を付し、それらの説明は省略する。以下、図７とは異なる点線で示す回路ブロックであるダウンロード時間間隔設定回路ＴＤ及びインターネット接続インターフェース・繰り返しダウンロード回路ＩＩＦＴについて同図を参照して説明する。
【００４８】
ダウンロード時間間隔設定回路ＴＤは、予め定めたダウンロード時間間隔設定信号Ｔｄを出力する。
インターネット接続インターフェース・繰り返しダウンロード回路ＩＩＦＴは、ダウンロード開始スイッチＤＳが開始側に切り換えられると、ファイル指定アドレス信号Ａdrによって指定されたインターネット上のＷＷＷサーバＳＶにアクセスし、上記のファイル指定アドレス信号Ａdrによって指定された出力制御パラメータファイルＦopを上記のダウンロード時間間隔Ｔｄごとに繰り返してダウンロードする。
【００４９】
上述したように、実施例４の発明では、ダウンロード時間間隔Ｔｄごとに出力制御パラメータファイルＦopをダウンロードすることができるので、常に最新の出力制御パラメータファイルＦopを自動的にダウンロードすることができる。これは、ある特定用途の溶接条件に対応する出力制御パラメータファイルＦopが、日々よりよい出力制御パラメータに改良されて更新されることはよくあるケーズである。このような場合には、上記の機能はダウンロード作業をより簡単にすることができる。
【００５０】
【発明の効果】
本発明の出力制御パラメータ・ダウンロード機能付溶接電源装置では、特定用途の溶接条件に対応した出力制御パラメータファイルを簡単な操作でダウンロードして内蔵の記憶素子に追加保存することができる。したがって、従来のようにメーカのサービスエンジニアが現場に出向いて出力制御パラメータの追加作業を行う必要がなく、出力制御パラメータの追加に要する時間が大幅に短縮する。
さらに、実施例２の発明では、ダウンロードされフォーマット変換された出力制御パラメータデータ列を、所望の溶接条件番号に対応する記憶素子の記憶領域に保存することができる。したがって、ダウンロードされた複数の出力制御パラメータデータ列を保存することができるので、多くの特定用途の溶接条件下において良好な溶接を行うことができる。
さらに、実施例３の発明では、ダウンロードされた出力制御パラメータファイルが溶接電源装置の機種ごとに予め定められたファイルフォーマットに適合しない場合には、警報を表示すると共に溶接の開始を禁止することができる。
さらに、実施例４の発明では、ダウンロード時間間隔ごとに出力制御パラメータファイルをダウンロードすることができるので、常に最新の出力制御パラメータファイルを自動的にダウンロードすることができる。
【図面の簡単な説明】
【図１】パルスアーク溶接の電流・電圧波形図
【図２】従来技術１の溶接電源装置のブロック図
【図３】記憶素子のメモリ構成図
【図４】従来技術２の溶接電源装置のブロック図
【図５】本発明のシステム全体構成図
【図６】出力制御パラメータファイルの一例
【図７】実施例１の溶接電源装置のブロック図
【図８】実施例２の溶接電源装置のブロック図
【図９】実施例３の溶接電源装置のブロック図
【図１０】実施例４の溶接電源装置のブロック図
【符号の説明】
１  溶接ワイヤ
２  被溶接物
３  アーク
４  溶接トーチ
５ａ  ワイヤ送給装置の送給ロール
ａ、ｂ  一元定数
Ａdr  ファイル指定アドレス（信号）
ＣＨ  フォーマット判別回路
Ｃｈ  フォーマット判別信号
Ｄop  出力制御パラメータデータ列
ＤＰＳ  出力制御パラメータ・ダウンロード機能付溶接電源装置
ＤＳ  ダウンロード開始スイッチ
ＦＣ  フォーマット変換回路
ＦＣＮ  フォーマット変換・選択記憶領域保存回路
Ｆop  出力制御パラメータファイル
ＦＳ  ファイル選択スイッチ
Ｆｓ  ファイル選択信号
Ｉｂ  ベース電流（設定信号）
ＩＩＦ  インターネット接続インターフェース回路
ＩＩＦＴ  インターネット接続インターフェース・繰り返しダウンロード回路
ＩＮＶ  出力制御回路
ＩＯ  入出力回路
Ｉｐ  ピーク電流（設定信号）
ＩＳ  電流設定回路
Ｉｓ  電流設定信号
Ｉｗ  出力電流
ＭＡ  アドレス生成回路
ＭＥＭ  記憶素子
ＮＳ  溶接条件選択スイッチ
Ｎｓ  溶接条件番号信号
ＯＮ  出力制御開始回路
Ｏｎ  出力制御開始信号
ＰＣ  パーソナルコンピュータ
ＰＳ  溶接電源装置
ＲＯＭ  読み取り専用記憶素子
ＲＳ  通信インターフェース回路
ＳＴ  溶接開始回路
Ｓｔ  溶接開始信号
ＳＶ  ＷＷＷサーバ
Ｔｂ  ベース期間
ＴＤ  ダウンロード時間間隔設定回路
Ｔｄ  ダウンロード時間間隔（設定信号）
Ｔｐ  ピーク期間（設定信号）
Ｖｂ  ベース電圧
Ｖｐ  ピーク電圧
Ｖｓ  一元電圧設定（値／信号）
Ｖｗ  出力電圧
ＷＣ  ワイヤ送給制御回路
Ｗｃ  送給制御信号
ＷＭ  ワイヤ送給モータ
【図１】
0004704604.tif 000002
【図２】
0004704604.tif 000003
【図３】
0004704604.tif 000004
【図４】
0004704604.tif 000005
【図５】
0004704604.tif 000006
【図６】
0004704604.tif 000007
【図７】
0004704604.tif 000008
【図８】
0004704604.tif 000009
【図９】
0004704604.tif 000010
【図１０】
0004704604.tif 000011